(57)【要約】【課題】家庭用の除湿機に使用されるヒーターへ電力を供給する複数のスイッチのＯＮ／ＯＦＦとヒーターの温度からスイッチの故障を検知して使用者に知らせる装置に関する。【解決手段】ヒーター１に電力を供給するスイッチ２Ａとスイッチ２Ｂと、ヒーター１の温度を検知する温度検知センサ３と、スイッチ２Ａとスイッチ２Ｂに異常があることを知らせる異常報知表示４と、温度検知センサ３により検知されたヒーター１の温度とスイッチ２Ａとスイッチ２ＢのＯＮ／ＯＦＦによりスイッチ２Ａとスイッチ２Ｂに異常があるかどうかを判断し異常があると判断した場合には異常報知表示４を動作させる制御部５とを備え、スイッチ２Ａとスイッチ２Ｂを順番にＯＮする毎にスイッチがＯＮする前後のヒーター１の温度を比較することでスイッチの溶着などの故障を検知してヒーター１への電力供給を停止し、異常報知表示４で人に異常を知らせることができる除湿機が得られる。【選択図】図１
2008188512.tif 000002
【特許請求の範囲】
【請求項１】
ヒーターに電力を供給する複数のスイッチと、前記ヒーターの温度を検知する温度検知センサと、前記複数のスイッチに異常があることを知らせる異常報知表示と、前記温度検知センサにより検知された前記ヒーターの温度と前記複数のスイッチのＯＮ／ＯＦＦにより前記複数のスイッチに異常があるかどうかを判断し異常があると判断した場合には異常報知表示を動作させる制御部とを備えたことを特徴とする除湿機。
【請求項２】
ヒーターの両側に電力を供給するスイッチがあることを特徴とした請求項１記載の除湿装置。
【請求項３】
ヒーターの片側に電力を供給する複数のスイッチがあることを特徴とした請求項１または２記載の除湿機。
【請求項４】
ヒーターに電力を供給する複数のスイッチに常時ＯＮと常時ＯＦＦが混在することを特徴とした請求項１、２または３記載の除湿機。
【請求項５】
ヒーターに電力を供給する毎に複数のスイッチのＯＮする順番を変え、最後のスイッチがＯＮして前記ヒーターが正常に通電する前にヒーターの温度が上昇した場合は、前記複数のスイッチのすべてをＯＦＦし、さらに異常報知表示により異常を知らせることを特徴とする請求項１、２、３または４記載の除湿機。
【請求項６】
ヒーターの電力供給を停止する毎に複数のスイッチのＯＦＦする順番を変え、最初のスイッチをＯＦＦした一定時間後に前記ヒーターの温度が下降しない場合は、残りのスイッチのすべてをＯＦＦし、さらに異常報知表示により異常を知らせることを特徴とする請求項１、２、３、４または５記載の除湿機。
【請求項７】
除湿機に商用電源が供給された直後にヒーターの温度上昇があるかどうかを判定して温度が上昇した場合には異常報知表示により異常を知らせることを特徴とする請求項１、２、３、４、５または６記載の除湿機。
【請求項８】
異常を知らせた後は、ヒーターに電力を供給しないようにすることを特徴とする請求項１、２、３、４、５、６または７記載の除湿機。
【請求項９】
温度検知センサにサーミスタを用いることを特徴とした請求項１、２、３、４、５、６、７または８記載の除湿機。
【請求項１０】
スイッチにリレーを用いることを特徴とした請求項１、２、３、４、５、６、７、８または９記載の除湿機。
【請求項１１】
制御部にマイコンを用いることを特徴とした請求項１、２、３、４、５、６、７、８、９または１０記載の除湿機。
【請求項１２】
異常報知表示にＬＥＤを用いることを特徴とする請求項１、２、３、４、５、６、７、８、９、１０または１１記載の除湿機。
【請求項１３】
異常報知表示にブザーを用いることを特徴とする請求項１、２、３、４、５、６、７、８、９、１０、１１または１２記載の除湿機。
【発明の詳細な説明】
【技術分野】
【０００１】
本発明は、例えば、家庭用の除湿機に使用されるヒーターへ電力を供給する複数のスイッチのＯＮ／ＯＦＦとヒーターの温度からスイッチの故障を検知して使用者に知らせる装置に関する。
【背景技術】
【０００２】
近年、ライフエンドと言う言葉が一般的に使われるようになり、製品の使用が不可能になる製品寿命まで安全に製品を使用できることが重要な要素である。しかし、ヒーターへ電力を供給するスイッチが溶着などの故障をした場合、ヒーターの温度を温度ヒューズなどの安全装置が作動する温度まで上昇させて、温度ヒューズを溶断することによりヒーターへの電力供給を停止する。
【０００３】
しかしながら、ヒーターの温度上昇を検知してヒーターへ電力を供給する一つのスイッチをＯＦＦする機能と温度ヒューズなどの安全装置とを組み合わせたスイッチの制御方法は開発されているが、ヒーターの電力を供給する複数のスイッチのＯＮ／ＯＦＦとヒーターの温度検知からスイッチの溶着などの故障を検知して、ヒーターの温度を上昇させることなく、ヒーターへの電力供給を停止する機構をもった除湿機は発明されていない（例えば、特許文献１参照）。
【０００４】
以下、その除湿機について説明する。
【０００５】
第一段の保護装置であるサーミスタと第二段の保護装置である温度ヒューズとを備えた構造となっている。第一段の保護装置であるサーミスタは、ヒーターの温度上昇によりヒーターのスイッチをＯＦＦする保護装置である。第二段の保護装置である温度ヒューズは、スイッチの溶着などの故障によりヒーターへの電力供給を止めることができず、さらにヒーターの温度が上昇した場合に、温度ヒューズを溶断させてヒーターへの電力供給を停止する保護装置である。
【特許文献１】特開２００３−２４０２６４号公報
【発明の開示】
【発明が解決しようとする課題】
【０００６】
このような従来の方法では、ヒーターに電力を供給するスイッチが溶着などの故障をした場合、ヒーターの温度上昇を検知できてもスイッチは一つしかなく、ヒーターへの電力供給を停止できないために、ヒーターは温度ヒューズが溶断する温度まで上昇することになる。温度ヒューズが溶断すると、起動復帰できなく、分解して温度ヒューズを交換し、起動復帰させる必要がある。
【０００７】
しかし、ヒーターの温度検知とヒーターに電力を供給する複数のスイッチのＯＮ／ＯＦＦを連動させ、さらに複数のスイッチのＯＮ／ＯＦＦに時間差を設けて制御することで、スイッチの一つが溶着などの故障をしてもヒーターへの電力供給を残りのスイッチで停止させることができ、ヒーターの温度を温度ヒューズが溶断する温度まで上昇させることのない除湿機を提供することができる。
【課題を解決するための手段】
【０００８】
本発明は上記目的を達成するために、ヒーターに電力を供給する複数のスイッチと、前記ヒーターの温度を検知する温度検知センサと、前記複数のスイッチに異常があることを知らせる異常報知表示と、前記温度検知センサにより検知された前記ヒーターの温度と前記複数のスイッチのＯＮ／ＯＦＦにより前記複数のスイッチに異常があるかどうかを判断し異常があると判断した場合には異常報知表示を動作させる制御部とを備えた構成としたものである。
【０００９】
この手段により、複数のスイッチを順番にＯＮする毎にスイッチがＯＮする前後のヒーターの温度を比較することでスイッチの溶着などの故障を検知して、ヒーターを安全装置の温度ヒューズなどが溶断する温度まで上昇させずにヒーターへの電力供給を停止することができる除湿機が得られる。
【００１０】
さらに、ヒーターの両側に電力を供給するスイッチがあることを特徴としたものである。
【００１１】
この手段により、除湿機に商用電源が投入された状態で停止しているとき、ヒーターを電源から切り離すことができる除湿機が得られる。
【００１２】
さらに、ヒーターの片側に電力を供給する複数のスイッチがあることを特徴としたものである。
【００１３】
この手段により、ヒーターに電力を供給するスイッチが溶着などの故障をしてヒーターが温度ヒューズなどの安全装置が働く温度まで上昇することを極めて低くすることができる除湿機が得られる。
【００１４】
さらに、ヒーターに電力を供給する複数のスイッチに常時ＯＮと常時ＯＦＦが混在することを特徴としたものである。
【００１５】
この手段により、ヒーターに電力を供給するスイッチの数より操作しなければならないスイッチの数を少なくすることができる除湿機が得られる。
【００１６】
さらに、ヒーターに電力を供給する毎に複数のスイッチのＯＮする順番を変え、最後のスイッチがＯＮして前記ヒーターが正常に通電する前にヒーターの温度が上昇した場合は、前記複数のスイッチのすべてをＯＦＦし、さらに異常報知表示により異常を知らせることを特徴としたものである。
【００１７】
この手段により、ヒーターに電力供給をする前にスイッチの故障を検知することができる除湿機が得られる。
【００１８】
さらに、ヒーターの電力供給を停止する毎に複数のスイッチのＯＦＦする順番を変え、最初のスイッチをＯＦＦした一定時間後に前記ヒーターの温度が下降しない場合は、残りのスイッチのすべてをＯＦＦし、さらに異常報知表示により異常を知らせることを特徴としたものである。
【００１９】
この手段により、ヒーターへの電力供給を停止するときにスイッチの溶着などの故障を検知することができる除湿機が得られる。
【００２０】
さらに、除湿機に商用電源が供給された直後にヒーターの温度上昇があるかどうかを判定して温度が上昇した場合には異常報知表示により異常を知らせることを特徴としたものである。
【００２１】
この手段により、商用電源から除湿機への電源投入時にスイッチの溶着などの故障を検知することができる除湿機が得られる。
【００２２】
さらに、異常を知らせた後は、ヒーターに電力を供給しないようにすることを特徴としたものである。
【００２３】
この手段により、スイッチに溶着などの故障が発生した場合は、ヒーターに電力を供給しない除湿機が得られる。
【００２４】
さらに、温度検知センサにサーミスタを用いることを特徴としたものである。
【００２５】
この手段により、ヒーターの温度を連続した値で検知することができる除湿機が得られる。
【００２６】
さらに、スイッチにリレーを用いることを特徴とした特徴としたものである。
【００２７】
この手段により、ヒーターに電力を供給する複数のスイッチに常時ＯＮと常時ＯＦＦのスイッチを混在させることができる除湿機が得られる。
【００２８】
さらに、制御部にマイコンを用いることを特徴としたものである。
【００２９】
この手段により、ヒーターの温度とヒーターへの電力を供給する複数のスイッチとを連動して操作する制御方法の実現を容易にすることができる除湿機が得られる。
【００３０】
さらに、異常報知表示にＬＥＤを用いることを特徴としたものである。
【００３１】
この手段により、除湿機に発生した異常を使用者の視覚に働きかけて知らせることができる除湿機が得られる。
【００３２】
さらに、異常報知表示にブザーを用いることを特徴としたものである。
【００３３】
この手段により、除湿機に発生した異常を使用者の聴覚に働きかけて知らせることができる除湿機が得られる。
【発明の効果】
【００３４】
本発明によれば、ヒーターに電力を供給する前にヒーターに電力を供給するスイッチの溶着などの故障を検知して、安全装置の温度ヒューズが溶断するような温度までヒーターの温度を上昇させずに、スイッチの異常を光や音などで知らせることができる除湿機が得られる。
【００３５】
また、ヒーターへの電力供給を停止するときにヒーターに電力を供給するスイッチが溶着などの故障をしていることを検知して、安全装置の温度ヒューズが溶断するような温度までヒーターの温度を上昇させずにヒーターへの電力供給を停止し、スイッチの異常を光や音などで知らせることができる除湿機が得られる。
【発明を実施するための最良の形態】
【００３６】
本発明の請求項１記載の発明は、ヒーターに電力を供給する複数のスイッチと、前記ヒーターの温度を検知する温度検知センサと、前記複数のスイッチに異常があることを知らせる異常報知表示と、前記温度検知センサにより検知された前記ヒーターの温度と前記複数のスイッチのＯＮ／ＯＦＦにより前記複数のスイッチに異常があるかどうかを判断し異常があると判断した場合には異常報知表示を動作させる制御部とを備えた構成とする。この構成により、複数のスイッチを順番にＯＮする毎にスイッチがＯＮする前後のヒーターの温度を比較することでスイッチの溶着などの故障を検知して、ヒーターを安全装置の温度ヒューズなどが溶断する温度まで上昇させずにヒーターへの電力供給を停止することができるという作用を有する。温度ヒューズが溶断しないので、スイッチ溶着などの故障原因のみを修理すれば、起動復帰できることとなる。
【００３７】
また、ヒーターの両側に電力を供給するスイッチがあることを特徴とした構成とし、除湿機に商用電源が投入された状態で停止しているとき、ヒーターを電源から切り離すことができるという作用を有する。
【００３８】
また、ヒーターの片側に電力を供給する複数のスイッチがあることを特徴とした構成とし、ヒーターに電力を供給するスイッチが溶着などの故障をしてヒーターが温度ヒューズなどの安全装置が働く温度まで上昇することを極めて低くすることができるという作用を有する。
【００３９】
また、ヒーターに電力を供給する複数のスイッチに常時ＯＮと常時ＯＦＦが混在することを特徴とし、ヒーターに電力を供給するスイッチの数より操作しなければならないスイッチの数を少なくすることができるという作用を有する。
【００４０】
また、ヒーターに電力を供給する毎に複数のスイッチのＯＮする順番を変え、最後のスイッチがＯＮして前記ヒーターが正常に通電する前にヒーターの温度が上昇した場合は、前記複数のスイッチのすべてをＯＦＦし、さらに異常報知表示により異常を知らせることを特徴とし、ヒーターに電力供給をする前にスイッチの故障を検知することができるという作用を有する。
【００４１】
また、ヒーターの電力供給を停止する毎に複数のスイッチのＯＦＦする順番を変え、最初のスイッチをＯＦＦした一定時間後に前記ヒーターの温度が下降しない場合は、残りのスイッチのすべてをＯＦＦし、さらに異常報知表示により異常を知らせることを特徴とし、ヒーターへの電力供給を停止するときにスイッチの溶着などの故障を検知することができるという作用を有する。
【００４２】
また、除湿機に商用電源が供給された直後にヒーターの温度上昇があるかどうかを判定して温度が上昇した場合には異常報知表示により異常を知らせることを特徴とし、商用電源から除湿機への電源投入時にスイッチの溶着などの故障を検知することができるという作用を有する。
【００４３】
また、異常を知らせた後は、ヒーターに電力を供給しないようにすることを特徴とし、スイッチに溶着などの故障が発生した場合は、ヒーターに電力を供給しないという作用を有する。
【００４４】
また、温度検知センサにサーミスタを用いることを特徴とした構成とし、ヒーターの温度を連続した値で検知することができるという作用を有する。
【００４５】
また、スイッチにリレーを用いることを特徴とした構成とし、ヒーターに電力を供給する複数のスイッチに常時ＯＮと常時ＯＦＦのスイッチを混在させることができるという作用を有する。
【００４６】
また、制御部にマイコンを用いることを特徴とした構成とし、ヒーターの温度とヒーターへの電力を供給する複数のスイッチとを連動して操作する制御方法の実現を容易にすることができるという作用を有する。
【００４７】
また、異常報知表示にＬＥＤを用いることを特徴とした構成とし、除湿機に発生した異常を使用者の視覚に働きかけて知らせることができるという作用を有する。
【００４８】
また、異常報知表示にブザーを用いることを特徴とした構成とし、除湿機に発生した異常を使用者の聴覚に働きかけて知らせることができるという作用を有する。
【００４９】
以下、本発明の実施の形態について図面を参照しながら説明する。
【００５０】
（実施の形態１）
図１に示すように、本発明の除湿機は、ヒーター１に電力を供給するスイッチ２Ａとスイッチ２Ｂと、ヒーター１の温度を検知する温度検知センサ３と、スイッチ２Ａまたはスイッチ２Ｂに異常があることを知らせる異常報知表示４と、温度検知センサ３により検知されたヒーター１の温度とスイッチ２Ａとスイッチ２ＢのＯＮ／ＯＦＦによりスイッチ２Ａまたはスイッチ２Ｂに異常があるかどうかを判断し異常があると判断した場合には異常報知表示４を動作させる制御部５とを備えたものである。
【００５１】
上記のように構成した除湿機について、ヒーターに電力を供給するときのスイッチの制御について、図１から図４を参照しながら説明する。
【００５２】
商用電源６から除湿機の電源プラグ７を介して除湿機に電力が供給された後に制御部５で以下の制御を行う。
【００５３】
図２に示すようにＮ個のスイッチをスイッチ１からスイッチＮに割り当て、スイッチのＯＮ順序がスイッチ番号と同一となるように設定する。図１は２個のスイッチを使用した場合であるので、スイッチ１にスイッチ２Ａをスイッチ２にスイッチ２Ｂを割り当て、スイッチ３以降の割り付けはなくスイッチ総数＝２となる。
【００５４】
そして、除湿機を運転してヒーター１に電力を供給する場合は、図３に示すように温度検知センサ３から温度Ｋ１を読み込み、スイッチ１に割り付けられているスイッチ２ＡをＯＮして一定時間Ｔ１が経過するのを待つ。次に温度検知センサ３からヒーター１の温度Ｋ２を読み込んで温度Ｋ１と温度Ｋ２とを比較する。温度Ｋ２が温度Ｋ１よりも高ければ、スイッチ２Ｂが溶着などの故障をしていると判断し、スイッチ２Ａを即座にＯＦＦし異常報知表示４により異常を使用者に知らせてヒーター１のＯＮを禁止する。逆に温度Ｋ２が温度Ｋ１以下であれば、ＯＮするスイッチ番号を１つ繰り上げて、スイッチ２に割り付けられているスイッチ２Ｂをスイッチ１に割り付けられたスイッチ２Ａと同じ手順でＯＮする。Ｎ個のスイッチの場合は、同様の手順でスイッチのＯＮをＮ回繰り返すことになり、すべてのスイッチがＯＮしたら次の操作を行う。
【００５５】
２個のスイッチの場合は、スイッチ２に割り付けられたスイッチ２ＢをＯＮさせた時点で、すべてのスイッチをＯＮしたことになる。最後のスイッチをＯＮして一定時間Ｔ２経過後に温度検知センサ３から温度Ｋ３を読み込み温度Ｋ２と比較する。温度Ｋ３が温度Ｋ２より小さければ、スイッチ２Ａもしくはスイッチ２Ｂに異常があったと判断してスイッチ２Ａとスイッチ２ＢをＯＦＦし、異常報知表示４により使用者に異常を知らせてヒーター１のＯＮを禁止する。逆に温度Ｋ３が温度Ｋ２よりも高ければ、すべてのスイッチが正常にＯＮしてヒーター１に電力が供給される。
【００５６】
ヒーターに電力を供給した後は、次回にヒーターに電力を供給するときのスイッチのＯＮする順序を図４に示すように、スイッチ名称に割り付けられるスイッチ番号とスイッチのＯＮ順序を一つだけずらすように変更する。２個のスイッチの場合は、スイッチ１にスイッチ２Ｂがスイッチ２にスイッチ２Ａが割り当てられる。
【００５７】
このように複数のスイッチを順番にＯＮする毎にスイッチがＯＮする前後のヒーターの温度を比較することでスイッチの溶着などの故障を検知することが可能となり、ヒーターに電力を供給する前にスイッチの溶着などの故障を検知して異常を知らせることのできる除湿機が得られる。
【００５８】
次に同様の構成の除湿機について、ヒーターの電力供給を停止するときのスイッチの制御について、図１と図５から図７を参照しながら説明する。
【００５９】
商用電源６から除湿機の電源プラグ７を介して除湿機に電力が供給された後に制御部５で以下の制御を行う。
【００６０】
図５に示すようにＭ個のスイッチをスイッチ１からスイッチＭに割り当て、スイッチのＯＦＦ順序がスイッチ番号と同一となるように設定する。図１は２個のスイッチを使用した場合であるので、スイッチ１にスイッチ２Ａをスイッチ２にスイッチ２Ｂを割り当て、スイッチ３以降の割り付けはなくスイッチ総数＝２となる。
【００６１】
そして、除湿機のヒーター１の電力供給を停止する場合は、図６に示すように温度検知センサ３から温度Ｋ４を読み込み、スイッチ１に割り付けられているスイッチ２ＡをＯＦＦして一定時間Ｔ３が経過するのを待つ。次に温度検知センサ３からヒーター１の温度Ｋ５を読み込んで温度Ｋ４と温度Ｋ５とを比較する。温度Ｋ５が温度Ｋ４以上であれば、スイッチ２Ｂが溶着などの故障をしていると判断し、スイッチ２Ａを即座にＯＦＦして異常報知表示４により異常を使用者に知らせてヒーター１のＯＮを禁止する。逆に温度Ｋ５が温度Ｋ４よりも小さければ、残りのスイッチをすべてＯＦＦしてヒーター１の電力供給を停止する。ヒーターへの電力供給を停止した後は、次回のヒーターへの電力供給を停止するときのスイッチのＯＦＦする順序を図７に示すように、スイッチ名称に割り付けられるスイッチ番号とスイッチのＯＦＦ順序を一つだけずらすように変更する。２個のスイッチの場合は、スイッチ１にスイッチ２Ｂがスイッチ２にスイッチ２Ａが割り当てられる。
【００６２】
このように複数のスイッチのＯＦＦする時間に差を設け、スイッチのＯＦＦの前後でヒーターの温度を比較することで、ヒーターへの電力供給をＯＦＦするときにＯＦＦするスイッチが溶着などの故障をしているかどうかを検知して異常を知らせることのできる除湿機が得られる。
【００６３】
また、同様の構成の除湿機について、除湿機に商用電源から電力が供給された直後にスイッチの故障について確認するスイッチの制御について、図１と図８を参照しながら説明する。
【００６４】
商用電源６から除湿機の電源プラグ７を介して除湿機に電力が供給された後に制御部５で図８に示すように、温度検知センサ３から温度Ｋ６を読み込み一定時間Ｔ４経過後に温度検知センサ３から温度Ｋ７を読み込んで温度Ｋ６と温度Ｋ７の比較を行う。温度Ｋ７が温度Ｋ６よりも大きければ、ヒーター１もしくはスイッチ２Ａもしくはスイッチ２Ｂに異常があると判断して、すべてのスイッチを電力が遮断される状態にするようにスイッチを操作し、異常報知表示４で使用者に異常を知らせてヒーター１のＯＮを禁止する制御を行う。複数のスイッチに常時開のスイッチと常時閉のスイッチが混在している場合は、ヒーターへの電力を遮断できるためさらに有効である。
【００６５】
このように除湿機に電力を供給した直後にヒーターの温度を検知することで、スイッチの異常を検知して、使用者に異常を知らせることのできる除湿機が得られる。
【００６６】
また、同様の構成の除湿機について、最後にＯＮするスイッチと最初にＯＦＦするスイッチが同じになるようにスイッチのＯＮとＯＦＦの順番を設定し、ヒーターに電力を供給するときの異常検知とヒーターへの電力供給を停止するときの異常検知の機能を併用することで、ヒーターをＯＮしてＯＦＦする一連の動作の中でヒーターに電力を供給した瞬間に発生しやすいスイッチの溶着を効率よく検知することができる安全な除湿機が得られる。
【００６７】
また、同様の構成の除湿機について、電源を投入したときの異常検知機能とヒーターの電力供給と電力供給停止の機能を併用することも可能である。
【００６８】
ここでは、ヒーター１の温度を検知する時間を一定時間Ｔ１からＴ３までを別々に設定しているが、すべて同じ時間であってもヒーター１の温度変化を確認するための時間設定であれば、時間の長さには限定されず、その作用効果に差異はない。今回、２個のスイッチを使用した場合を説明しているが、一定時間Ｔ１からＴ３の設定は３０秒以内に設定することが実用的である。
【００６９】
ここでは、スイッチの数を２個としたが、ヒーターの温度を確認しながらスイッチのＯＮとＯＦＦを連動させてスイッチなどの異常を検知するのであれば、スイッチの数や温度検知とスイッチ操作の順序や温度検知とスイッチ操作する時間の長短には限定されず、その作用効果に差異は生じない。
【００７０】
また、ここでは、スイッチの例を特に取り上げていないが、ヒーターに電力を供給するスイッチのような機能をもった構成であれば、スイッチの種類に限定されず、その作用効果に差異は生じない。
【００７１】
また、図には示していないが、温度検知センサ３にサーミスタを用いれば、連続した温度を検知することができる除湿機が得られる。しかし、温度を検知することができるその他のセンサなどを用いても、その作用効果に差異は生じない。
【００７２】
また、図には示していないが、異常報知表示４として、例えばＬＥＤを使用すれば、使用者の視覚に異常を知らせることができる除湿機が得られる。しかし、光など人の視覚を利用して異常を知らせるのであれば、その作用効果に差異は生じない。
【００７３】
また、図には示していないが、異常報知表示４としてブザーを使用すれば、使用者の聴覚に異常を知らせることが出来る除湿機が得られる。しかし、音を利用して人の聴覚を利用して異常を知らせるのであれば、その作用効果に差異は生じない。
【００７４】
また、図には示していないが、制御部５にマイコンを使用すれば、複雑な制御回路を構成しなくても簡単な制御回路で上記の制御方法を実現することができる。
【００７５】
（実施の形態２）
実施の形態１と同一部分は同一番号を付し、詳細な説明は省略する。図９に示すように、本発明の除湿機は、常時開スイッチ８と常時閉スイッチ９とを備えたものである。常時開スイッチ８は、スイッチ操作をしないときは常時不導通となっているスイッチであり、常時閉スイッチ９は、スイッチ操作をしないときは常時導通しているスイッチである。
【００７６】
上記のように構成した除湿機のヒーターの電力を供給するスイッチの制御について、図８と図９を参照しながら説明する。
【００７７】
図には示していないが、除湿機に商用電源６から電源プラグ７を介して電力が供給された直後に、図８に示すように温度検知センサ３から温度Ｋ６を読み込み一定時間Ｔ４経過後に温度検知センサ３から温度Ｋ７を読み込んで温度Ｋ６と温度Ｋ７の比較を行って温度Ｋ７が温度Ｋ６よりも高ければ、常時開スイッチ８が溶着などの故障をしていることを除湿機に電力を投入した直後に素早く検出し、常時閉スイッチ９によりスイッチをＯＦＦしてヒーター１への電力を遮断して、使用者に異常を知らせることができるメリットを有する。
【００７８】
また、図９に示すような構成であれば、ヒーター１に電力供給をしているときのスイッチ操作は常時開スイッチ８のみを行えば良いため、ヒーター１への電力を供給しているときのスイッチ操作の数は、スイッチを１個使用しているときと同じになり、省エネルギーな制御が可能となる。
【００７９】
ここでは、２個のスイッチを使用した例を説明したが、一定時間Ｔ４は３０秒以内の設定とするのが実用的であると考えられる。
【００８０】
また、図には示していないが、スイッチにリレーを用いれば、常時開と常時閉のスイッチが混在した構成が容易に可能となる。ここでは、リレーを例に取り上げたが、ヒーターに電力を供給するスイッチのような機能をもった構成であれば、スイッチの種類に限定されず、その作用効果に差異は生じない。
【産業上の利用可能性】
【００８１】
本発明の除湿機のヒーター制御は、ヒーターを利用する一般家電用の電化製品、電気機器、業務用、産業用の電気機器などのヒーター制御などにも適用できる。
【図面の簡単な説明】
【００８２】
【図１】本発明の実施の形態１の除湿機の構成図
【図２】同スイッチのＯＮする順序を示す図
【図３】同スイッチをＯＮするときのスイッチの異常を検知する異常検知方法のフローチャート
【図４】同スイッチのＯＮする順序を示す図
【図５】同スイッチのＯＦＦする順序を示す図
【図６】同異常検知方法のフローチャート
【図７】同スイッチのＯＦＦする順序を示す図
【図８】同スイッチをＯＦＦするときのスイッチの異常を検知する異常検知方法のフローチャート
【図９】本発明の実施の形態２の除湿機の構成図
【符号の説明】
【００８３】
１    ヒーター
２Ａ  スイッチ
２Ｂ  スイッチ
３    温度検知センサ
４    異常報知表示
５    制御部
６    商用電源
７    電源プラグ
８    常時開スイッチ
９    常時閉スイッチ
【図１】
2008188512.tif 000003
【図２】
2008188512.tif 000004
【図３】
2008188512.tif 000005
【図４】
2008188512.tif 000006
【図５】
2008188512.tif 000007
【図６】
2008188512.tif 000008
【図７】
2008188512.tif 000009
【図８】
2008188512.tif 000010
【図９】
2008188512.tif 000011